(57)【特許請求の範囲】
【請求項１】
通信回線網を介して外部装置へ画像データを送信するファクシミリ機能を有した親機と、その親機との間で無線通信によりデータ通信を行う子機とを備えた通信装置において、
前記子機は、
前記親機との間で無線通信により音声信号を送受信する子機本体と、
その子機本体が着脱自在に装着され、装着された子機本体に電力を供給する子機用充電台と、
その子機用充電台に設けられ、監視領域内に位置する移動体を検出する子機検出センサと、
前記子機用充電台に設けられ、前記子機検出センサにより検出される移動体の子機検出状況に応じた検出信号を、無線通信により前記親機へ送信する送信手段とを備え、
前記親機は、
前記送信手段により前記子機から送信される検出信号を受信する受信手段と、
その受信手段により検出信号が受信された場合に、その検出信号に従った移動体の子機検出状況と、その子機検出状況が変化した時刻と、前記移動体を検出した子機検出センサとを関連づけた子機検出情報を記憶する第１記憶手段と、
監視領域内に位置する移動体を検出する親機検出センサと、
その親機検出センサにより検出される移動体の親機検出状況と、その親機検出状況が変化した時刻と、前記親機検出センサとを関連づけた親機検出情報を記憶する第２記憶手段と、
その第２記憶手段に記憶される親機検出情報と、前記第１記憶手段に記憶される子機検出情報とに基づいて、各検出センサの検出状況を集成する集成手段とを備えていることを特徴とする通信装置。
【請求項２】
前記送信手段は、前記子機検出センサにより移動体の検出が開始された場合と、その移動体の検出が前記子機検出センサにより開始された後に前記移動体の検出状況が検出終了へと変化した場合とに前記検出信号を送信するものであり、
前記第１記憶手段には、前記子機検出センサによる移動体の検出開始の時刻と、前記子機検出センサによる移動体の検出終了の時刻と、前記移動体を検出した子機検出センサとを関連づけた子機検出情報を記憶するものであり、
前記第２記憶手段には、前記親機検出センサによる移動体の検出が開始された時刻と、その移動体の検出が前記親機検出センサにより開始された後に前記移動体の検出が終了した時刻と、前記親機検出センサとを関連づけた親機検出情報を記憶するものであることを特徴とする請求項１記載の通信装置。
【請求項３】
前記集成手段は、前記第１記憶手段に記憶される子機検出情報と、前記第２記憶手段に記憶される親機検出情報とに基づいて、各検出センサ毎に検出状況が変化した時刻を同一時間軸上に示す画像情報を生成する生成手段を備え、
前記親機は、前記生成手段により生成された画像情報を出力する出力手段を備えていることを特徴とする請求項１または２記載の通信装置。
【請求項４】
前記親機は、
前記子機検出センサおよび前記親機検出センサのそれぞれに対して、予め付与されたセンサ名を記憶するセンサ名記憶手段を備え、
前記生成手段は、各検出センサ毎の検出状況が変化した時刻に基づいて、各検出センサが移動体を検出した時間の長さを示唆する軌跡を、各検出センサ毎に異なる態様で同一時間軸上に表示する画像と、前記センサ名記憶手段に記憶されるセンサ名と前記各検出センサ毎に異なる態様の軌跡との対応関係を示す画像とからなる画像情報を生成するものであることを特徴とする請求項３記載の通信装置。
【請求項５】
前記センサ名記憶手段に記憶されるセンサ名を変更するセンサ名変更手段を備えていることを特徴とする請求項４記載の通信装置。
【請求項６】
前記親機は、
前記通信回線網を介して接続される１の外部装置を特定する特定情報を記憶する特定情報記憶手段と、
その特定情報記憶手段に記憶される特定情報により特定される外部装置に対し、前記生成手段により生成された画像情報を出力する時刻を記憶する時刻記憶手段とを備え、
前記出力手段は、前記時刻記憶手段に記憶される時刻になった場合に、前記特定情報記憶手段に記憶される特定情報により特定される外部装置へ、前記生成手段により生成された画像情報を前記ファクシミリ機能により送信することを特徴とする請求項３から５のいずれかに記載の通信装置。
【請求項７】
前記親機は、画像を表示可能に構成された表示手段を有し、
前記出力手段は、前記生成手段により生成された画像情報を前記表示手段に表示させることを特徴とする請求項３から６のいずれかに記載の通信装置。
【請求項８】
前記子機は、載置台と、その載置台に対して着脱自在に構成される子機本体とを有し、
前記子機本体に、前記子機検出センサが設けられていることを特徴とする請求項１から７の何れかに記載の通信装置。
【発明の詳細な説明】
【技術分野】
【０００１】
本発明は、通信装置に関し、特に、複数の検出センサの検出状況をまとめて把握することができる通信装置に関するものである。
【背景技術】
【０００２】
従来より、人体検知センサ（以下、「検出センサ」と称す）が搭載された通信装置が知られている。このような通信装置に関し、特許文献１に開示される通信装置は、検出センサが人体を検出した場合に、所定のファクシミリメッセージを予め定められたファクシミリ装置に送信したり、所定の音声メッセージを予め定められた電話装置へ送出するものである。
【特許文献１】特開２０００−３３２９２５号公報（第００３９段落など）
【発明の開示】
【発明が解決しようとする課題】
【０００３】
しかしながら、検出センサが人体を検出した場合に、所定のファクシミリメッセージを予め定められたファクシミリ装置に送信したり、所定の音声メッセージを予め定められた電話装置へ送出する通信装置に、例えば、複数の検出センサを接続し、その検出センサを通信装置から離れた場所にそれぞれ設置した場合には、各検出センサが人体を検出する毎に、所定のファクシミリメッセージが予め定められたファクシミリ装置に送信されたり、所定の音声メッセージが予め定められた電話装置へ送出される。よって、通信装置からファクシミリメッセージ又は音声メッセージを受信した受信者は、複数の検出センサのうち、どの検出センサにより人体が検出されたかを把握できないし、複数の検出センサの検出状況をまとめて把握することができないという問題点が生じる。
【０００４】
本発明は、上述した問題点を解決するためになされたものであり、複数の検出センサの検出状況をまとめて把握することができる通信装置を提供することを目的とする。
【課題を解決するための手段】
【０００５】
この目的を達成するために、請求項１記載の通信装置は、通信回線網を介して外部装置へ画像データを送信するファクシミリ機能を有した親機と、その親機との間で無線通信によりデータ通信を行う子機とを備えたものであって、前記子機は、前記親機との間で無線通信により音声信号を送受信する子機本体と、その子機本体が着脱自在に装着され、装着された子機本体に電力を供給する子機用充電台と、その子機用充電台に設けられ、監視領域内に位置する移動体を検出する子機検出センサと、前記子機用充電台に設けられ、前記子機検出センサにより検出される移動体の子機検出状況に応じた検出信号を、無線通信により前記親機へ送信する送信手段とを備え、前記親機は、前記送信手段により前記子機から送信される検出信号を受信する受信手段と、その受信手段により検出信号が受信された場合に、その検出信号に従った移動体の子機検出状況と、その子機検出状況が変化した時刻と、前記移動体を検出した子機検出センサとを関連づけた子機検出情報を記憶する第１記憶手段と、監視領域内に位置する移動体を検出する親機検出センサと、その親機検出センサにより検出される移動体の親機検出状況と、その親機検出状況が変化した時刻と、前記親機検出センサとを関連づけた親機検出情報を記憶する第２記憶手段と、その第２記憶手段に記憶される親機検出情報と、前記第１記憶手段に記憶される子機検出情報とに基づいて、各検出センサの検出状況を集成する集成手段とを備えている。
【０００６】
請求項２記載の通信装置は、請求項１記載の通信装置において、前記送信手段は、前記子機検出センサにより移動体の検出が開始された場合と、その移動体の検出が前記子機検出センサにより開始された後に前記移動体の検出状況が検出終了へと変化した場合とに前記検出信号を送信するものであり、前記第１記憶手段には、前記子機検出センサによる移動体の検出開始の時刻と、前記子機検出センサによる移動体の検出終了の時刻と、前記移動体を検出した子機検出センサとを関連づけた子機検出情報を記憶するものであり、前記第２記憶手段には、前記親機検出センサによる移動体の検出が開始された時刻と、その移動体の検出が前記親機検出センサにより開始された後に前記移動体の検出が終了した時刻と、前記親機検出センサとを関連づけた親機検出情報を記憶するものである。
【０００７】
請求項３記載の通信装置は、請求項１または２記載の通信装置において、前記集成手段は、前記第１記憶手段に記憶される子機検出情報と、前記第２記憶手段に記憶される親機検出情報とに基づいて、各検出センサ毎に検出状況が変化した時刻を同一時間軸上に示す画像情報を生成する生成手段を備え、前記親機は、前記生成手段により生成された画像情報を出力する出力手段を備えている。
【０００８】
請求項４記載の通信装置は、請求項３記載の通信装置において、前記親機は、前記子機検出センサおよび前記親機検出センサのそれぞれに対して、予め付与されたセンサ名を記憶するセンサ名記憶手段を備え、前記生成手段は、各検出センサ毎の検出状況が変化した時刻に基づいて、各検出センサが移動体を検出した時間の長さを示唆する軌跡を、各検出センサ毎に異なる態様で同一時間軸上に表示する画像と、前記センサ名記憶手段に記憶されるセンサ名と前記各検出センサ毎に異なる態様の軌跡との対応関係を示す画像とからなる画像情報を生成するものである。
【０００９】
請求項５記載の通信装置は、請求項４記載の通信装置において、前記センサ名記憶手段に記憶されるセンサ名を変更するセンサ名変更手段を備えている。
【００１０】
請求項６記載の通信装置は、請求項３から５のいずれかに記載の通信装置において、前記親機は、前記通信回線網を介して接続される１の外部装置を特定する特定情報を記憶する特定情報記憶手段と、その特定情報記憶手段に記憶される特定情報により特定される外部装置に対し、前記生成手段により生成された画像情報を出力する時刻を記憶する時刻記憶手段とを備え、前記出力手段は、前記時刻記憶手段に記憶される時刻になった場合に、前記特定情報記憶手段に記憶される特定情報により特定される外部装置へ、前記生成手段により生成された画像情報を前記ファクシミリ機能により送信する。
【００１１】
請求項７記載の通信装置は、請求項３から６のいずれかに記載の通信装置において、前記親機は、画像を表示可能に構成された表示手段を有し、前記出力手段は、前記生成手段により生成された画像情報を前記表示手段に表示させる。
【００１２】
請求項８記載の通信装置は、請求項１から７の何れかに記載の通信装置において、前記子機は、載置台と、その載置台に対して着脱自在に構成される子機本体とを有し、前記子機本体に、前記子機検出センサが設けられている。
【発明の効果】
【００１４】
請求項１記載の通信装置によれば、子機では、子機検出センサにより監視領域内に位置する移動体が検出され、その子機検出センサにより検出される移動体の子機検出状況に応じた検出信号が送信手段により親機へ送信される。親機では、送信手段により子機から送信される検出信号が受信手段により受信された場合に、その検出信号に従った移動体の子機検出状況と、その子機検出状況が変化した時刻と、移動体を検出した子機検出センサとを関連づけた子機検出情報が第１記憶手段に記憶される。また、親機では、親機検出センサにより監視領域内に位置する移動体が検出され、その親機検出センサにより検出される移動体の親機検出状況と、その親機検出状況が変化した時刻と、親機検出センサとを関連づけた親機検出情報が第２記憶手段に記憶される。そして、第２記憶手段に記憶される親機検出情報と、第１記憶手段に記憶される子機検出情報とに基づいて、各検出センサの検出状況が集成手段により集成される。よって、集成手段によって、各検出センサの検出状況およびその検出状況が変化した時刻を集成して一つの情報に纏めることができる。従って、例えば、集成手段により纏められた一つの情報を取得または受信することで、各検出センサの検出状況およびその検出状況が変化した時刻をまとめて把握することができるという効果がある。また、ユーザによって、子機本体が子機用充電台から外されて別の場所に移動させられても、子機検出センサは移動しないので、子機検出センサにより監視させる移動体の監視領域が、所定の位置から変更されることを抑制できる。つまり、子機検出センサにより、所定の位置の監視領域内に位置する移動体を継続して監視させることができるという効果がある。
【００１５】
請求項２記載の通信装置によれば、請求項１記載の通信装置の奏する効果に加え、子機検出センサにより移動体の検出が開始された場合と、その移動体の検出が子機検出センサにより開始された後にその移動体の検出状況が検出終了へと変化した場合とに、送信手段により検出信号が親機に送信される。よって、子機が親機に対して検出信号を常に送信する場合や、定期的に送信する場合と比較して、子機が親機に対して検出信号を送信する回数を減らせるので、子機で行われる送信処理も減らすことができ、その結果、子機が送信処理で消費する電力を抑制することができるという効果がある。特に、子機が電池などで動作している場合は、子機の動作時間を延長させることができるという効果がある。
【００１６】
また、第１記憶手段には、子機検出センサによる移動体の検出開始の時刻と、子機検出センサによる移動体の検出終了の時刻と、移動体を検出した子機検出センサとを関連づけた子機検出情報が記憶される。よって、子機検出センサによる移動体の検出状況を常に子機検出センサと関連づけて子機検出情報として記憶する場合や、定期的に子機検出センサと関連づけて子機検出情報として記憶する場合と比較して、第１記憶手段に記憶される子機検出情報の量を抑制することができるという効果がある。
【００１７】
さらに、第２記憶手段には、親機検出センサによる移動体の検出が開始された時刻と、その移動体の検出が親機検出センサにより開始された後に移動体の検出が終了した時刻と、親機検出センサとを関連づけた親機検出情報が記憶される。よって、親機検出センサによる移動体の検出状況を常に親機検出センサと関連づけて親機検出情報として記憶する場合や、定期的に親機検出センサと関連づけて親機検出情報として記憶する場合と比較して、第２記憶手段に記憶される親機検出情報の量を抑制することができるという効果がある。
【００１８】
請求項３記載の通信装置によれば、請求項１または２記載の通信装置の奏する効果に加え、第１記憶手段に記憶される子機検出情報と、第２記憶手段に記憶される親機検出情報とに基づいて、各検出センサ毎に検出状況が変化した時刻を同一時間軸上に示す画像情報が生成手段により生成される。そして、生成手段により生成された画像情報は、出力手段により出力される。よって、出力手段により出力される画像情報から、同一時間軸上に示される各検出センサ毎の検出状況の変化した時刻を確認できるので、各検出センサの検出状況を簡単にまとめて把握することができるという効果がある。
【００１９】
請求項４記載の通信装置によれば、請求項３記載の通信装置の奏する効果に加え、親機では、子機検出センサおよび親機検出センサのそれぞれに対して、予め付与されたセンサ名がセンサ名記憶手段に記憶される。また、各検出センサ毎の検出状況が変化した時刻に基づいて、各検出センサが移動体を検出した時間の長さを示唆する軌跡を各検出センサ毎に異なる態様で同一時間軸上に表示する画像と、センサ名記憶手段に記憶されるセンサ名と各検出センサ毎に異なる態様の軌跡との対応関係を示す画像とからなる画像情報が、生成手段により生成される。よって、ユーザは、各検出センサが移動体を検出した時間の長さを示唆する軌跡の画像と、センサ名と各検出センサ毎の軌跡との対応関係を示す画像とを目視することができるので、移動体を検出した検出センサと、その検出センサにより移動体が検出された時間長さとを簡単に把握することができるという効果がある。
【００２０】
請求項５記載の通信装置によれば、請求項４記載の通信装置の奏する効果に加え、センサ名記憶手段に記憶されるセンサ名がセンサ名変更手段により変更されるので、ユーザは、各検出センサに適切な名称を付与することができる。即ち、センサ名と各検出センサ毎に異なる態様の軌跡との対応関係を示す画像において、ユーザが付与したセンサ名が示されるので、センサ名と各検出センサ毎の軌跡との対応関係をユーザに理解させ易くすることができるという効果がある。
【００２１】
請求項６記載の通信装置によれば、請求項３から５のいずれかに記載の通信装置の奏する効果に加え、親機では、通信回線網を介して接続される１の外部装置を特定する特定情報が特定情報記憶手段に記憶され、特定情報記憶手段に記憶される特定情報により特定される外部装置に対し、生成手段により生成された画像情報が出力される時刻が時刻記憶手段に記憶される。そして、時刻記憶手段に記憶される時刻になった場合には、特定情報記憶手段に記憶される特定情報により特定される外部装置へ、生成手段により生成された画像情報がファクシミリ機能により送信される。よって、ユーザは、所望する時刻に特定の外部装置へ画像情報を送信できるので、例えば、ユーザが親機から離れた場所にいても、その離れた場所に特定の外部装置を設置すれば、親機からファクシミリ機能により送信される画像情報を受信して、各検出センサの検出状況をまとめて把握することができるという効果がある。
【００２２】
請求項７記載の通信装置によれば、請求項３から６のいずれかに記載の通信装置の奏する効果に加え、親機では、生成手段により生成された画像情報が、出力手段によって画像を表示可能に構成された表示手段に表示されるので、ユーザは、親機の表示手段に表示される画像情報を目視することにより、各検出センサの検出状況をまとめて把握することができるという効果がある。また、生成手段により生成された画像情報に基づく画像が表示手段に表示されるので、例えば、ユーザが親機を操作して出力手段による出力を実行させれば、任意の時刻に各検出センサの検出状況を把握することができるという効果がある。
【００２３】
請求項８記載の通信装置によれば、請求項１から７の何れかに記載の通信装置の奏する効果に加え、子機は、載置台と、その載置台に対して着脱自在に構成される子機本体とを有しており、子機本体に、子機検出センサが設けられている。よって、ユーザは、子機本体を載置台から外して任意の場所に移動させることにより、子機検出センサの位置を簡単に移動させることができるので、子機検出センサにより監視させる移動体の監視領域を簡単に変更することができるという効果がある。
【発明を実施するための最良の形態】
【００２５】
以下、本発明の好ましい実施形態について、添付図面を参照して説明する。図１は、本発明の第１の実施形態における通信装置の親機を有した多機能周辺装置（以下、「ＭＦＰ（Ｍｕｌｔｉ  Ｆｕｎｃｔｉｏｎ  Ｐｅｒｉｐｈｅｒａｌ）」と称す）１と、通信装置の子機３１（子機Ａ，子機Ｂ）との外観構成を示した斜視図である。
【００２６】
このＭＦＰ１は、電話機能、ファクシミリ機能、プリンタ機能、スキャナ機能、及び、コピー機能などの各種機能を有しており、電話機能による通話やファクシミリ機能によるデータ送信を行うために電話回線網１００（図２参照）と接続されている。
【００２７】
また、ＭＦＰ１（親機）には、人体（移動物）などから発せられる赤外線を検出する人体検出センサ２０が設けられており、子機３１（子機Ａ，子機Ｂ）には、人体（移動物）などから発せられる赤外線を検出する人体検出センサ３５が設けられている。このＭＦＰ１は、ＭＦＰ１（親機）および子機３１（子機Ａ，子機Ｂ）に設けられた各人体検出センサ２０，３５よって人体の動きを監視し、その監視結果をグラフなどの１つの情報にまとめて、ＬＣＤ１６に表示したり、予め指定された外部装置（図示しない）へ送信するものである。
【００２８】
まず、ＭＦＰ１（親機）について説明する。ＭＦＰ１の上部には、ファクシミリ機能、スキャナ機能、又は、コピー機能の実行時に原稿を読み取るためのスキャナ２１が配置されている。
【００２９】
ＭＦＰ１の筐体内部には記録用紙に画像を印刷する装置として、所謂インクジェットプリンタで構成されたプリンタ２２が内蔵されている。プリンタ２２は、Ｃ（シアン）、Ｍ（マゼンダ）、Ｙ（イエロー）、Ｋ（ブラック）の４色のインクを使用する印刷ヘッド、紙送り装置、回復装置を備えカラー印刷を行う。印刷ヘッドには複数個のノズル（インク吐出口）が設けられており、ノズルからインク吐出を行いながら、紙送り装置で記録用紙を送り画像を記録用紙に印刷する。
【００３０】
原稿カバー体８の前方には、横長形状の操作パネル６が設けられており、操作キー１５、ＬＣＤ１６とを具備する。操作キー１５には、電話機能やファクシミリ機能を利用する場合に電話番号を入力するための数字ボタン１５ａや、日時などを入力する場合に、入力する項目を選択するための十字キー１５ｂや、後述する監視設定処理（図４参照）を実行する監視設定ボタン１５ｃなどの各種ボタンが設けられている。ユーザは、操作キー１５を操作することによって、監視結果を送信する外部装置の電話番号を入力したり、監視結果を外部装置へ送信する日時などを入力することができる。
【００３１】
ＬＣＤ１６には、ＭＦＰ１（親機）および子機３１（子機Ａ，子機Ｂ）によって人体の動きを監視した監視結果（図６（ａ），図６（ｂ）参照）が表示されたり、操作手順や実行中の処理の状態が表示されると共に、操作キー１５の押下に対応する情報が表示される。
【００３２】
ＭＦＰ１の前面には、人体などから発せられる赤外線を検出する人体検出センサ２０が設けられている。人体検出センサ２０において赤外線が検出され始めた場合は、人体が検出され始めたものとして、検出され始めた日時が、人体検出テーブルメモリ１４ａ（図２参照）に記憶される。また、赤外線の検出が終了された場合は、人体の検出が終了されたものとして、検出が終了された日時が、人体検出テーブルメモリ１４ａ（図２参照）に記憶される。
【００３３】
ＭＦＰ１の側部には、送受話器２３が設けられている。送受話器２３は、ユーザが電話回線網１００を介して接続された外部装置との間で、通話を行うための装置であり、マイクロフォンとスピーカとを有している。非通話時には、送受話器２３はフック（図示しない）が設けられた載置台上に置かれ、通話時には載置台から取り上げられて使用される。尚、本実施形態では、前者をオンフック状態、後者をオフフック状態と称す。送受話器２３は、オフフック状態となるとＮＣＵ２４（図２参照）と電気的に接続され、オンフック状態となると、ＮＣＵ２４との接続が解除される。
【００３４】
次に、子機３１（子機Ａ，子機Ｂ）について説明する。子機３１の前面には、人体などから発せられる赤外線を検出する人体検出センサ３５が設けられている。人体検出センサ３５において赤外線が検出された場合は、人体が検出されたものとして、無線通信制御部４０（図２参照）を介して、ＭＦＰ１（親機）へ人体の検出開始が通知される。また、赤外線の検出が終了された場合は、人体の検出が終了されたものとして、無線通信制御部４０を介して、ＭＦＰ１（親機）へ人体の検出終了が通知される。
【００３５】
ユーザは、子機３１（子機Ａ，子機Ｂ）を移動させることで、子機３１（子機Ａ，子機Ｂ）により人体を監視させる場所を簡単に変更することができる。
【００３６】
人体検出センサ３５の下方には、操作キー３７とＬＣＤ３８とが設けられている。操作キー３７には、電話番号を入力するための数字ボタンなどの各種ボタンが設けられている。ＬＣＤ３８には、子機３１の操作手順や通話の状態などが表示される。
【００３７】
子機３１の筐体内部には、充電回路３６（図２参照）が内蔵されている。充電回路３６は、子機３１が子機用充電台４３に載置されている場合に、子機用充電台４３から供給される電力を蓄電する既知の回路である。充電回路３６に蓄電された電力は、子機３１の各部へ動作電力として供給される。子機用充電台４３には、充電回路３６に供給するための電力を生成する電力供給回路４３ａ（図２参照）が設けられている。電力供給回路４３ａは商用電源と接続されており、子機３１が子機用充電台４３に載置されている場合に、子機３１を動作させるための電力を商用電源から生成し、充電回路３６に供給する既知の回路である。
【００３８】
次に、図２を参照して、ＭＦＰ１（親機）および子機３１（子機Ａ，子機Ｂ）の電気的構成について説明する。
【００３９】
図２は、ＭＦＰ１および子機３１の電気的構成を示すブロック図である。まず、ＭＦＰ１について説明する。ＭＦＰ１は、ＣＰＵ１１、ＲＯＭ１２、ＲＡＭ１３、フラッシュメモリ１４、操作キー１５、ＬＣＤ１６、無線通信制御部１７、人体検出センサ２０、スキャナ２１、プリンタ２２、送受話器２３、ＮＣＵ２４、モデム２５、計時回路２６とを主に有している。
【００４０】
ＣＰＵ１１、ＲＯＭ１２、ＲＡＭ１３、フラッシュメモリ１４は、バスライン２７を介して互いに接続されている。また、操作キー１５、ＬＣＤ１６、無線通信制御部１７、人体検出センサ２０、スキャナ２１、プリンタ２２、ＮＣＵ２４、モデム２５、計時回路２６、バスライン２７は、入出力ポート２８を介して互いに接続されている。
【００４１】
ＣＰＵ１１は、ＲＯＭ１２やＲＡＭ１３やフラッシュメモリ１４に記憶される固定値やプログラム或いは、ＮＣＵ２４または無線通信制御部１７を介して送受信される各種信号に従って、ＭＦＰ１が有している各機能の制御や、入出力ポート２８と接続された各部を制御するものである。ＲＯＭ１２は、ＭＦＰ１で実行される制御プログラムなどを格納した書換不能なメモリである。図４のフローチャートに示す監視設定処理、図５のフローチャートに示すメイン処理、図８のフローチャートに示す応答処理を実行する各プログラムは、このＲＯＭ１２に格納されている。
【００４２】
ＲＡＭ１３は、書き替え可能な揮発性のメモリであり、ＭＦＰ１の各操作の実行時に各種のデータを一時的に記憶するためのメモリである。ＲＡＭ１３には、ＭＦＰ１（親機）および子機３１（子機Ａ，子機Ｂ）によって人体の動きが監視された監視結果が、グラフなどの画像にまとめられた場合、その画像データが記憶される画像データメモリ１３ａが設けられている。
【００４３】
フラッシュメモリ１４は書換可能な不揮発性のメモリであり、このフラッシュメモリ１４に記憶されたデータは、ＭＦＰ１の電源オフ後も保持される。フラッシュメモリ１４には、ＭＦＰ１（親機）および子機３１（子機Ａ，子機Ｂ）による人体の監視状況が記憶される人体検出テーブルメモリ１４ａと、ＭＦＰ１（親機）および子機３１（子機Ａ，子機Ｂ）による人体の監視状況を、人体検出テーブルメモリ１４ａに記憶する期間が記憶される記録期間メモリ１４ｂと、画像データメモリ１３ａに記憶される画像データを、ファクシミリ機能により外部装置へ送信する場合の送信先のＦＡＸ番号が記憶される送信先ＦＡＸ番号メモリ１４ｃと、画像データメモリ１３ａに記憶される画像データを、送信先ＦＡＸ番号メモリ１４ｃに記憶される送信先へ送信する日時が記憶される送信日時メモリ１４ｄと、ＭＦＰ１（親機）および子機３１（子機Ａ，子機Ｂ）に設けられた各人体検出センサ２０，３５のセンサ名が、機器（ＭＦＰ１、子機３１）毎にそれぞれ記憶されるセンサ名メモリ１４ｅとが設けられている。
【００４４】
人体検出テーブルメモリ１４ａは、ＭＦＰ１（親機）および子機３１（子機Ａ，子機Ｂ）による人体の監視状況が記憶されるメモリである。
【００４５】
ここで、図３を参照して、人体検出テーブルメモリ１４ａについて説明する。図３は、人体検出テーブルメモリ１４ａに記憶される人体検出テーブルの内容の一例を示す概略図である。
【００４６】
図３に示すように、人体検出テーブルは、複数のデータブロックによって構成されている。１つのデータブロックには、センサ名と、日付と、検出開始時刻と、検出終了時刻との情報が含まれおり、このデータブロックは、ＭＦＰ１（親機）または子機３１（子機Ａ，子機Ｂ）により人体の検出が開始される度に、人体検出テーブルに新たに追加される。
【００４７】
ＭＦＰ１（親機）または子機３１（子機Ａ，子機Ｂ）により人体の検出が開始される度に、人体検出テーブルにデータブロックが追加されるので、常に人体の検出状況を記憶したり、定期的に人体の検出状況を記憶する場合と比べて、人体検出テーブルメモリ１４ａに記憶されるデータブロックの量を抑制することができる。
【００４８】
データブロックの「センサ名」は、人体を検出した機器（ＭＦＰ１、子機３１）の人体検出センサ２０，３５に付与されているセンサ名を示しており、「日付」は、人体検出テーブルにデータブロックが追加された日付を示している。「検出開始時刻」は、ＭＦＰ１（親機）の人体検出センサ２０が人体の検出を開始した時刻、または、ＭＦＰ１（親機）が子機３１（子機Ａ，子機Ｂ）から送信される人体の検出開始の通知を受信した時刻を示している。「検出終了時刻」はＭＦＰ１（親機）の人体検出センサ２０が人体の検出を終了した時刻、または、ＭＦＰ１（親機）が子機３１（子機Ａ，子機Ｂ）から送信される人体の検出終了の通知を受信した時刻を示している。
【００４９】
例えば、ＭＦＰ１の人体検出センサ２０に、「親機」というセンサ名が付与されていたとする。そして、ＭＦＰ１（親機）に設けられた人体検出センサ２０によって、「３月１日４時５０分」に人体の検出が開始されたとすると、まず、人体検出テーブルに新たにデータブロックが追加される。追加されたデータブロックのセンサ名には「親機」と記憶され、日付には「３月１日」と記憶され、検出開始時刻には「４時５０分」と記憶される。なお、この時点では、検出終了時刻には何も記憶されない。
【００５０】
そして、ＭＦＰ１（親機）に設けられた人体検出センサ２０によって、「３月１日５時１０分」に人体の検出が終了されると、人体検出テーブルにおいて、センサ名が一致するデータブロック、つまり、センサ名が「親機」と記憶されているデータブロックであり、且つ、検出終了時刻に何も記憶されていないデータブロックの検出終了時刻に、その時刻である「５時１０分」と記憶される。
【００５１】
また、子機３１（子機Ａ）の人体検出センサ３５に、「子機Ａ」というセンサ名が付与されていたとする。そして、子機３１（子機Ａ）に設けられた人体検出センサ３５によって、人体の検出が開始されたとすると、子機３１（子機Ａ）からＭＦＰ１（親機）へ人体の検出開始が通知される。ＭＦＰ１（親機）が、子機３１（子機Ａ）から送信された人体の検出開始の通知を「３月１日０時１０分」に受信したとすると、まず、人体検出テーブルに新たにデータブロックが追加される。追加されたデータブロックのセンサ名には「子機Ａ」と記憶され、日付には「３月１日」と記憶され、検出開始時刻には「０時１０分」と記憶される。なお、この時点では、検出終了時刻には何も記憶されない。
【００５２】
そして、子機３１（子機Ａ）に設けられた人体検出センサ３５によって、人体の検出が終了されると、子機３１（子機Ａ）からＭＦＰ１（親機）へ人体の検出終了が通知される。ＭＦＰ１（親機）が、子機３１（子機Ａ）から送信された人体の検出終了の通知を「３月１日２時１０分」に受信したとすると、人体検出テーブルにおいて、センサ名が一致するデータブロック、つまり、センサ名が「子機Ａ」と記憶されているデータブロックであり、且つ、検出終了時刻に何も記憶されていないデータブロックの検出終了時刻に、「２時１０分」と記憶される。
【００５３】
ここで、図２のフラッシュメモリ１４の説明に戻る。
【００５４】
記録期間メモリ１４ｂには、ＭＦＰ１（親機）および子機３１（子機Ａ，子機Ｂ）による人体の監視状況を、人体検出テーブルメモリ１４ａに記憶する期間が記憶される。後述する監視設定処理（図４参照）において、ユーザにより入力された期間が記憶され、例えば、「開始時刻：３月１日０時０分  終了時刻：３月２日２０時０分」と記憶される。
【００５５】
送信先ＦＡＸ番号メモリ１４ｃには、画像データメモリ１３ａに記憶される画像データを、ファクシミリ機能により外部装置へ送信する場合の送信先のＦＡＸ番号が記憶される。後述する監視設定処理（図４参照）において、ユーザにより入力される数値（ＦＡＸ番号）が記憶される。
【００５６】
送信日時メモリ１４ｄには、画像データメモリ１３ａに記憶される画像データを、送信先ＦＡＸ番号メモリ１４ｃに記憶される送信先へ送信する日時が記憶される。後述する監視設定処理（図４参照）において、ユーザにより入力された日時が記憶され、例えば、「送信時刻：３月１日０時０分」と記憶される。
【００５７】
センサ名メモリ１４ｅには、ＭＦＰ１（親機）および子機３１（子機Ａ，子機Ｂ）に設けられた各人体検出センサ２０，３５のセンサ名が、機器毎にそれぞれ記憶される。初期状態では、ＭＦＰ１の人体検出センサ２０には「親機」という名称が設定されており、子機３１（子機Ａ）の人体検出センサ３５には「子機Ａ」という名称が、子機３１（子機Ｂ）の人体検出センサ３５には「子機Ｂ」という名称が設定されている。後述する監視設定処理（図４参照）において、ユーザはセンサ名メモリ１４ｅに記憶される各センサ名を変更することができる。
【００５８】
無線通信制御部１７は、無線通信用アンテナ１８を有しており、子機３１（子機Ａ、子機Ｂ）との間で無線通信を行い、音声信号や、人体の検出開始および検出終了の通知などの各種データを送受信するものである。
【００５９】
ＮＣＵ２４は、電話回線網１００と接続されており、電話回線網１００へのダイヤル信号の送出や、電話回線網１００からの呼出信号の応答などの制御を行うものである。モデム２５は、ファクシミリ機能により送信が指示された画像データを、電話回線網１００に伝送可能な信号に変調してＮＣＵ２４を介して送信したり、電話回線網１００からＮＣＵ２４を介して入力された信号を受信し、ＬＣＤ１６に表示したりプリンタ２２で記録可能な画像データに復調するものである。計時回路２６は、現在の日時を刻む時計機能を有する既知の回路である。
【００６０】
次に、子機３１の電気的構成について説明する。子機３１は、ＣＰＵ３２、ＲＯＭ３３、ＲＡＭ３４、人体検出センサ３５、充電回路３６、操作キー３７、ＬＣＤ３８、送受話回路３９、無線通信制御部４０、子機用充電台４３とを主に有している。ＣＰＵ３２、ＲＯＭ３３、ＲＡＭ３４、人体検出センサ３５、充電回路３６、操作キー３７、ＬＣＤ３８、送受話回路３９、無線通信制御部４０は、バスライン４２を介して互いに接続されている。
【００６１】
ＣＰＵ３２は、ＲＯＭ３３やＲＡＭ３４に記憶される固定値やプログラム或いは、無線通信制御部４０を介して送受信される各種信号に従って、バスライン４２により接続された各部を制御するものである。ＲＯＭ３３は、子機３１で実行される各種の制御プログラムを記憶する書換不能なメモリである。図７のフローチャートに示す人体検出通知処理を実行する各プログラムは、このＲＯＭ３３に格納されている。ＲＡＭ３４は各種のデータを一時的に記憶するための書換可能なメモリである。
【００６２】
送受話器３９は、通話を行うための装置であり、マイクロフォンとスピーカとを有している。マイクロフォンは、入力された音声を音声信号（電気信号）に変換するものであり、また、スピーカは、音声信号を音声に変換して出力するものである。無線通信制御部４０は、無線通信用アンテナ４１を有しており、ＭＦＰ１（親機）との間で無線通信を行い、音声信号や、人体の検出開始および検出終了の通知などの各種データを送受信するものである。
【００６３】
次に、図４を参照して、ＭＦＰ１のＣＰＵ１１により実行される監視設定処理について説明する。図４は、ＭＦＰ１の監視設定処理を示すフローチャートである。この監視設定処理は、ＭＦＰ１（親機）および子機３１（子機Ａ，子機Ｂ）によって人体の動きを監視する期間や、人体の動きを監視した監視結果を送信する送信先や、ＭＦＰ１（親機）および子機３１（子機Ａ，子機Ｂ）に設けられた各人体検出センサ２０，３５のセンサ名などの各種設定を行うための処理であり、操作キー１５に設けられた監視設定ボタン１５ｃが押下された場合に実行される処理である。
【００６４】
この監視設定処理では、まず、ＬＣＤ１６に、「親機および子機によって人体の動きを監視する期間を入力して下さい」と表示し（Ｓ１）、ユーザにより人体の動きを監視する期間が入力されるまで待機する（Ｓ２：Ｎｏ）。
【００６５】
例えば、ＬＣＤ１６に「開始時刻：＊月＊日＊時＊分  終了時刻：＊月＊日＊時＊分」と表示されるので、ユーザは、十字キー１５ｃの左右キーを操作して、カーソルを＊印に合わせ、数字ボタン１５ａで直接数値を入力したり、十字キー１５ｃの上下キーを操作して数値を入力する。
【００６６】
ユーザにより人体の動きを監視する期間が入力された場合は（Ｓ２：Ｙｅｓ）、ユーザにより入力された人体の動きを監視する期間を、記録期間メモリ１４ｂに記憶する（Ｓ３）。次に、ＬＣＤ１６に、「親機および子機が人体の動きを監視した監視結果を送信する送信先のＦＡＸ番号を入力して下さい」と表示し（Ｓ４）、ユーザにより送信先のＦＡＸ番号が入力されるまで待機する（Ｓ５：Ｎｏ）。
【００６７】
ユーザにより送信先のＦＡＸ番号が入力された場合は（Ｓ５：Ｙｅｓ）、ユーザにより入力されたＦＡＸ番号を、送信先ＦＡＸ番号メモリ１４ｃに記憶する（Ｓ６）。次に、ＬＣＤ１６に、「親機および子機が人体の動きを監視した監視結果を、送信先へ送信する日時を入力して下さい」と表示し（Ｓ７）、ユーザにより監視結果を送信先へ送信する日時が入力されるまで待機する（Ｓ８：Ｎｏ）。
【００６８】
例えば、ＬＣＤ１６に「送信時刻：＊月＊日＊時＊分」と表示されるので、ユーザは、十字キー１５ｃの左右キーを操作して、カーソルを＊印に合わせ、数字ボタン１５ａで直接数値を入力したり、十字キー１５ｃの上下キーを操作して数値を入力する。
【００６９】
ユーザにより監視結果を送信先へ送信する日時が入力された場合は（Ｓ８：Ｙｅｓ）、ユーザにより入力された監視結果を送信先へ送信する日時を、送信日時メモリ１４ｄに記憶する（Ｓ９）。次に、ＬＣＤ１６に、「親機および子機の人体検出センサのセンサ名をそれぞれ入力して下さい」と表示し（Ｓ１０）、ユーザにより親機および子機の人体検出センサ２０，３５のセンサ名がそれぞれ入力されるまで待機する（Ｓ１１：Ｎｏ）。
【００７０】
初期状態では、ＭＦＰ１（親機）の人体検出センサ２０の名称は「親機」と設定されており、子機３１（子機Ａ）の人体検出センサ３５の名称は「子機Ａ」と設定されており、子機３１（子機Ｂ）の人体検出センサ３５の名称は「子機Ｂ」と設定されている。
【００７１】
ユーザは、操作キー１５の数字ボタン１４ａや十字キー１５ｃを操作して、各人体検出センサ２０，３５のセンサ名を、適宜な名称に変更することができる。例えば、ユーザは、ＭＦＰ１（親機）の人体検出センサ２０の名称を「リビング」と設定し、子機３１（子機Ａ）の人体検出センサ３５の名称を「寝室」と設定し、子機３１（子機Ｂ）の人体検出センサ３５の名称を「キッチン」と設定することができる。
【００７２】
ユーザにより親機および子機の人体検出センサ２０，３５のセンサ名がそれぞれ入力された場合は（Ｓ１１：Ｙｅｓ）、ユーザにより入力された各人体検出センサ２０，３５のセンサ名を、センサ名メモリ１４ｅにそれぞれ記憶して（Ｓ１２）、監視設定処理を終了する。
【００７３】
この図４のフローチャートの監視設定処理により、ＭＦＰ１（親機）は、ＭＦＰ１（親機）および子機３１（子機Ａ，子機Ｂ）によって人体の動きを監視する期間や、人体の動きを監視した監視結果を送信する送信先や、ＭＦＰ１（親機）および子機３１（子機Ａ，子機Ｂ）に設けられた各人体検出センサ２０，３５のセンサ名などの各種設定を行うことができる。
【００７４】
次に、図５を参照して、ＭＦＰ１のＣＰＵ１１により実行されるメイン処理について説明する。図５は、ＭＦＰ１のメイン処理を示すフローチャートである。このメイン処理は、ＭＦＰ１（親機）および子機３１（子機Ａ，子機Ｂ）による人体の監視状況を記憶するとともに、予め決められた送信日時になった場合に、監視状況をグラフなどの画像にまとめ、その画像データを外部装置へ送信するための処理である。このメイン処理は、ＭＦＰ１の主電源が投入されてから主電源が遮断されるまで繰り返し実行される処理である。
【００７５】
このメイン処理では、まず、計時回路２６より現在の日時を取得し（Ｓ２１）、その現在の日時が、記録期間メモリ１４ｂに記憶される期間内であるかを判定する（Ｓ２２）。Ｓ２２の処理において、取得した日時が記録期間メモリ１４ｂに記憶される期間内である場合は（Ｓ２２：Ｙｅｓ）、ＭＦＰ１（親機）の人体検出センサ２０が人体を検出し始めたか、または、子機３１（子機Ａ，子機Ｂ）から人体の検出開始が通知されたかを判定する（Ｓ２３）。一方、取得した日時が記録期間メモリ１４ｂに記憶される期間内でない場合は（Ｓ２２：Ｎｏ）、Ｓ２３〜Ｓ２６の処理をスキップし、Ｓ２７の処理に移行する。
【００７６】
Ｓ２３の処理において、ＭＦＰ１（親機）の人体検出センサ２０が人体を検出し始めたか、または、子機３１（子機Ａ，子機Ｂ）から人体の検出開始が通知された場合は（Ｓ２３：Ｙｅｓ）、計時回路２６より現在の日時を取得し、人体検出テーブルメモリ１４ａにデータブロックを１つ追加し、そのデータブロックの「センサ名」に人体を検出し始めた機器（親機、子機Ａ、子機Ｂ）のセンサ名を、「日付」に現在の日付を、「検出開始時刻」に現在の時刻を記憶する（Ｓ２４）。
【００７７】
一方、ＭＦＰ１（親機）の人体検出センサ２０が人体を検出し始めていない場合、または、子機３１（子機Ａ，子機Ｂ）から人体の検出開始が通知されていない場合は（Ｓ２３：Ｎｏ）、Ｓ２４の処理をスキップし、Ｓ２５の処理に移行する。
【００７８】
次に、ＭＦＰ１（親機）の人体検出センサ２０が人体の検出を終了したか、または、子機３１（子機Ａ，子機Ｂ）から人体の検出終了が通知されたかを判定し（Ｓ２５）、ＭＦＰ１（親機）の人体検出センサ２０が人体の検出を終了した場合、または、子機３１（子機Ａ，子機Ｂ）から人体の検出終了が通知された場合は（Ｓ２５：Ｙｅｓ）、計時回路２６より現在の日時を取得し、人体の検出を終了した機器（親機、子機Ａ、子機Ｂ）のセンサ名が記憶されているデータブロックであり、且つ、「検出終了時刻」が記憶されていないデータブロックの「検出終了時刻」に現在の時刻を記憶する（Ｓ２６）。
【００７９】
一方、ＭＦＰ１（親機）の人体検出センサ２０が人体の検出を終了していない場合、または、子機３１（子機Ａ，子機Ｂ）から人体の検出終了が通知されていない場合は（Ｓ２５：Ｎｏ）、Ｓ２６の処理をスキップし、Ｓ２７の処理に移行する。
【００８０】
そして、現在の時刻が、送信日時メモリ１４ｄに記憶される日時であるかを判定し（Ｓ２７）、現在の時刻が、送信日時メモリ１４ｄに記憶される日時である場合は（Ｓ２７：Ｙｅｓ）、人体検出テーブルメモリ１４ａに記憶される各データブロックに基づいて、画像データを生成し、画像データメモリ１３ａに記憶する（Ｓ２８）。一方、現在の時刻が送信日時メモリ１４ｄに記憶される日時でない場合は（Ｓ２７：Ｎｏ）、Ｓ２１の処理に戻り、上述したＳ２１〜Ｓ２７の各処理を繰り返す。
【００８１】
ここで、図６を参照して、各データブロックに基づいて生成される画像データについて説明する。図６は、人体検出テーブルメモリ１４ａに記憶される各データブロックに基づいて生成されて、画像データメモリ１３ａに記憶される画像データの内容の一例を示すイメージ図である。
【００８２】
図６（ａ）は、ＭＦＰ１（親機）および子機３１（子機Ａ，子機Ｂ）によって監視された１日分の人体の監視結果を示す棒グラフであり、図６（ｂ）は、１週間分の人体の監視結果を示す棒グラフである。
【００８３】
図６（ａ），（ｂ）に示すように、棒グラフには縦軸と横軸とが設けられている。横軸には等間隔に時刻が記されており、その記された時刻に対応する位置に、人体検出テーブルメモリ１４ａに記憶される各データブロックの内容に応じた矩形状の棒が、それぞれ記されている。また、この棒グラフでは、データブロックのセンサ名毎に、棒が異なる態様で記され、その棒の高さもそれぞれ異なる高さで記されている。
【００８４】
具体的には、センサ名が「親機」であるデータブロックの棒は、実線で記され、センサ名が「子機Ａ」でるデータブロックの棒は破線で記され、センサ名が「子機Ｂ」であるデータブロックの棒は２点鎖線で記されている。また、棒の高さは、センサ名が「子機Ａ」であるデータブロックの棒が一番高く、次に、センサ名が「子機Ｂ」であるデータブロックの棒が高く、センサ名が「親機」であるデータブロックの棒は一番低く記されている。
【００８５】
データブロックの棒が、データブロックのセンサ名毎に異なる高さで記されているので、各機器（親機、子機Ａ、子機Ｂ）の人体検出センサ２０，３５によって同時刻に人体の検出が開始されたり、人体の検出が終了した場合でも、ユーザは、棒の高さを識別することによって、いずれの機器で人体の検出が開始されたのか、人体の検出が終了されたのかを判別することができる。
【００８６】
また、各データブロックの棒は、グラフの横軸において、データブロックの検出開始時刻に対応する位置に矩形状の棒の一端が記され、データブロックの検出終了時刻に対応する位置にその一端に対向する他端が記される。つまり、矩形状の棒の幅（長さ）により、人体が検出されていた時間が示されるのである。
【００８７】
また、この棒グラフには、センサ名と、データブロックの棒の態様との対応関係を示す凡例が記されている。例えば、凡例は棒グラフの右上方に位置し、実線に対応させて「親機」と記され、同様に、破線に対応させて「子機Ａ」と記され、２点鎖線に対応させて「子機Ｂ」と記されている。ユーザは、凡例を目視することにより、センサ名と、データブロックの棒の態様との対応関係を容易に理解することができ、棒グラフに示されるＭＦＰ１（親機）および子機３１（子機Ａ，子機Ｂ）による人体の監視結果を、直感的に把握することができる。
【００８８】
なお、ユーザは、図４のＳ１１の処理によって、センサ名を変更することができる。例えば、ＭＦＰ１（親機）のセンサ名を「リビング」と変更し、子機３１（子機Ａ）のセンサ名を「寝室」と変更し、子機３１（子機Ｂ）のセンサ名を「キッチン」と変更したとする。すると、図６（ｂ）に示すように、棒グラフの右上方に位置する凡例では、実線の下に「リビング」と記され、破線の下に「寝室」と記され、２点鎖線の下に「キッチン」と記される。
【００８９】
つまり、ユーザが変更したセンサ名が、凡例に記されるので、センサ名と、データブロックの棒との対応関係をユーザに理解させ易くすることができる。ユーザは、凡例を目視することにより、棒グラフに示される各機器による人体の検出状況を、より直感的に確認することができる。
【００９０】
センサ名が「子機Ａ」、日付が「３月１日」、検出開始時刻が「０時１０分」、検出終了時刻が「２時１０分」というデータブロック（図３参照）であれば、図６（ａ）に示すように、矩形状の棒が破線で記される。そして、グラフの横軸において、データブロックの検出開始時刻「０時１０分」に対応する位置に矩形状の棒の一端が記され、検出終了時刻「２時１０分」に対応する位置にその一端に対向する他端が記される。
【００９１】
同様に、センサ名が「子機Ｂ」、日付が「３月１日」、検出開始時刻が「３時３５分」、検出終了時刻が「３時４０分」というデータブロック（図３参照）であれば、図６（ａ）に示すように、矩形状の棒が２点鎖線で記される。そして、グラフの横軸において、データブロックの検出開始時刻「３時３５分」に対応する位置に矩形状の棒の一端が記され、検出終了時刻「３時４０分」に対応する位置にその一端に対向する他端が記される。なお、矩形状の棒が見た目には、２点鎖線の直線として記されているが、それは人体が検出されていた時間が短いことを示している。
【００９２】
同様に、センサ名が「親機」、日付が「３月１日」、検出開始時刻が「４時５０分」、検出終了時刻が「５時１０分」というデータブロック（図３参照）は、図６（ａ）に示すように、矩形状の棒が実線で記される。そして、グラフの横軸において、データブロックの検出開始時刻「４時５０分」に対応する位置に矩形状の棒の一端が記され、検出終了時刻「５時１０分」に対応する位置にその一端に対向する他端が記される。以下同様に、棒グラフに、各データブロックの内容に応じた矩形状の棒がそれぞれ記される。
【００９３】
上述したように、本実施形態では、ＭＦＰ１（親機）および子機３１（子機Ａ，子機Ｂ）によって監視された人体の監視結果が、同一時間軸上に棒グラフとしてまとめて記されるので、ユーザは、その棒グラフを確認することで、ＭＦＰ１（親機）および子機３１（子機Ａ，子機Ｂ）による人体の監視結果を、まとめて簡単に把握することができる。
【００９４】
ここで、図５のフローチャートの説明に戻る。Ｓ２８の処理が終了すると、次に、画像データメモリ１３ａに記憶される画像データを、送信先ＦＡＸ番号メモリ１４ｃに記憶されるＦＡＸ番号のファクシミリ装置へ送信し（Ｓ２９）、Ｓ２１の処理に戻り、上述したＳ２１〜Ｓ２９の各処理を繰り返す。
【００９５】
この図５のフローチャートのメイン処理により、ＭＦＰ１（親機）は、ＭＦＰ１（親機）および子機３１（子機Ａ，子機Ｂ）による人体の監視状況を記憶することができ、また、予め決められた送信日時になった場合に、監視状況をグラフなどの画像にまとめ、その画像データを外部装置へ送信することができる。
【００９６】
また、ユーザは、ＭＦＰ１（親機）から離れた場所にいても、外部装置を利用可能であれば、その外部装置によって監視状況がまとめられた画像データを受信することができる。そして、受信した画像を目視することで、ＭＦＰ１（親機）および子機３１（子機Ａ，子機Ｂ）による人体の監視状況をまとめて把握することができる。
【００９７】
次に、図７を参照して、子機３１のＣＰＵ３２により実行される人体検出通知処理について説明する。図７は、子機３１の人体検出通知処理を示すフローチャートである。この人体検出通知処理は、子機３１（子機Ａ，子機Ｂ）の人体検出センサ３５によって検出される人体の検出状況が変化した場合に、ＭＦＰ１（親機）へ人体の検出開始または人体の検出終了を通知する処理である。この人体検出通知処理は、充電回路３６に蓄電された電力が、子機３１の各装置へ動作電力として供給される場合に繰り返し実行される処理である。
【００９８】
この人体検出通知処理では、子機３１（子機Ａ，子機Ｂ）の人体検出センサ３５が、人体を検出し始めたかを判定し（Ｓ３１）、子機３１（子機Ａ，子機Ｂ）の人体検出センサ３５が、人体を検出し始めた場合は（Ｓ３１：Ｙｅｓ）、ＭＦＰ１へ人体の検出開始を通知する（Ｓ３２）。一方、子機３１（子機Ａ，子機Ｂ）の人体検出センサ３５が、人体を検出し始めていない場合、又は、検出中である場合は（Ｓ３１：Ｎｏ）、Ｓ３２の処理をスキップし、Ｓ３３の処理へ移行する。
【００９９】
次に、子機３１（子機Ａ，子機Ｂ）の人体検出センサ３５の検出状況が、人体検出中から検出終了へと変化したかを判定し（Ｓ３３）、子機３１（子機Ａ，子機Ｂ）の人体検出センサ３５の検出状況が、人体検出中から検出終了へと変化した場合は（Ｓ３３：Ｙｅｓ）、ＭＦＰ１へ人体の検出終了を通知する（Ｓ３４）。一方、子機３１（子機Ａ，子機Ｂ）の人体検出センサ３５が、人体の検出を終了していない場合、又は、終了してから次の検出をし始めるまでの間は（Ｓ３３：Ｎｏ）、Ｓ３４の処理をスキップし、Ｓ３１の処理に戻り、上述したＳ３１〜Ｓ３３の各処理を繰り返す。
【０１００】
この図７のフローチャートの人体検出通知処理により、子機３１（子機Ａ，子機Ｂ）は、子機３１（子機Ａ，子機Ｂ）の人体検出センサ３５によって検出される人体の検出状況が変化した場合に、ＭＦＰ１（親機）へ人体の検出開始または人体の検出終了を通知することができる。
【０１０１】
よって、子機３１（子機Ａ，子機Ｂ）からＭＦＰ１（親機）へ、常に人体の検出状況を送信したり、定期的に人体の検出状況を送信する場合と比較して、子機３１（子機Ａ，子機Ｂ）がＭＦＰ１（親機）へ検出状況を送信する回数を減らせるので、子機３１（子機Ａ，子機Ｂ）で行われる送信処理も減らせることができる。即ち、子機３１（子機Ａ，子機Ｂ）が送信処理で消費する電力を抑制することができる。また、電力の消費を抑制することができるので、子機３１（子機Ａ，子機Ｂ）が子機用充電台４３から取り外されて使用されている場合に、動作時間を延長させることができる。
【０１０２】
次に、図８を参照して、ＭＦＰ１のＣＰＵ１１により実行される応答処理について説明する。図８は、ＭＦＰ１の応答処理を示すフローチャートである。この応答処理は、ＭＦＰ１（親機）が、電話回線網１００から送信される呼出信号を受信した場合に実行される処理である。この応答処理では、電話回線網１００を介して接続された外部装置から、所定のＤＰ信号またはＰＢ信号が送信された場合に、ＭＦＰ１（親機）および子機３１（子機Ａ，子機Ｂ）によって監視された人体の監視状況をグラフなどの画像にまとめて、その外部装置へ送信するための処理である。
【０１０３】
この応答処理では、まず、呼出信号を発した外部装置との接続処理を行い、外部装置へ応答メッセージを送信する（Ｓ４１）。ここでの応答メッセージとは、外部装置を操作するユーザに対して、ＭＦＰ１の操作方法を報知するための音声メッセージであり、例えば、「親機および子機によって監視された人体の監視状況を受信するには、♯１０を入力して下さい」という音声メッセージである。
【０１０４】
次に、外部装置と接続されてから所定時間（例えば、５分）が経過したかを判定し（Ｓ４２）、所定時間が経過している場合は（Ｓ４２：Ｙｅｓ）、Ｓ４３〜Ｓ４５の各処理をスキップし、Ｓ４６の処理に移行する。
【０１０５】
一方、所定時間を経過していない場合は（Ｓ４２：Ｎｏ）、外部装置から所定のＤＰ信号またはＰＢ信号を受信したかを判定する（Ｓ４３）。所定のＤＰ信号またはＰＢ信号は、外部装置を操作するユーザが、外部装置において電話番号を入力する数字ボタンを押下した場合に、外部装置からＭＦＰ１（親機）へ送信される音声信号のことである。例えば、外部装置を操作するユーザが、外部装置において「♯１０」と入力したかを判定する。
【０１０６】
Ｓ４３の処理において、外部装置から所定のＤＰ信号またはＰＢ信号を受信していない場合は（Ｓ４３：Ｎｏ）、Ｓ４２の処理に戻り、Ｓ４２およびＳ４３の各処理を繰り返す。一方、外部装置から所定のＤＰ信号またはＰＢ信号を受信した場合は（Ｓ４３：Ｙｅｓ）、人体検出テーブルメモリ１４ａに記憶される各データブロックに基づいて、図６に示した画像データを生成し、画像データメモリ１３ａに記憶し（Ｓ４４）、その画像データメモリ１３ａに記憶した画像データを、ファクシミリ機能により、電話回線網１００を介して接続されている外部装置へ送信する（Ｓ４５）。そして、外部装置との接続を解除して（Ｓ４６）、応答処理を終了する。
【０１０７】
この図８のフローチャートに示す応答処理により、ＭＦＰ１（親機）が、電話回線網１００から送信される呼出信号を受信した場合に、呼出信号を発した外部装置との接続を行うことができる。また、接続された外部装置から所定のＤＰ信号またはＰＢ信号が送信された場合に、ＭＦＰ１（親機）および子機３１（子機Ａ，子機Ｂ）によって監視された人体の監視状況をグラフなどの画像にまとめて、その外部装置へ送信することができる。
【０１０８】
よって、ユーザは、外出先などから外部装置を操作し、ＭＦＰ１からＭＦＰ１（親機）および子機３１（子機Ａ，子機Ｂ）によって監視された人体の監視状況をグラフなどの画像を取得して、確認することができる。
【０１０９】
次に、図９を参照して、第２の実施形態について説明する。第１の実施形態では、子機３１（子機Ａ，子機Ｂ）に人体検出センサ３５を設ける構成としたが、第２の実施形態では、子機用充電台５１（子機台Ａ，子機台Ｂ）に人体検出センサ５３を設ける構成としている。
【０１１０】
図９（ａ）は、本発明の第２の実施形態における通信装置の子機用充電台５１（子機台Ａ，子機台Ｂ）の外観構成を示した斜視図であり、図９（ｂ）は、子機用充電台５１（子機台Ａ，子機台Ｂ）の電気的構成を示すブロック図である。なお、第１の実施形態の通信装置と同一な部分については、同一の符号を付してその説明を省略し、異なる部分についてのみ説明する。
【０１１１】
図９（ａ）に示すように、子機用充電台５１の前面には、人体などから発せられる赤外線を検出する人体検出センサ５３が設けられている。人体検出センサ５３において赤外線が検出された場合は、人体が検出されたものとして、無線通信制御部５７（図９（ｂ）参照）を介して、ＭＦＰ１（親機）へ人体の検出開始が通知される。また、赤外線の検出が終了された場合は、人体の検出が終了されたものとして、無線通信制御部５７を介して、ＭＦＰ１（親機）へ人体の検出終了が通知される。
【０１１２】
子機用充電台５１の筐体内部には、電力供給回路５２（図９（ｂ）参照）が内蔵されている。電力供給回路５２は、商用電源と接続されており、子機３１（子機Ａ，子機Ｂ）が子機用充電台５１（子機台Ａ，子機台Ｂ）に載置されている場合に、子機３１（子機Ａ，子機Ｂ）を動作させるための電力を商用電源から生成し、子機３１（子機Ａ，子機Ｂ）の充電回路３６に供給する既知の回路である。
【０１１３】
次に、図９（ｂ）を参照して、子機用充電台５１（子機台Ａ，子機台Ｂ）の電気的構成について説明する。
【０１１４】
図９（ｂ）は、子機用充電台５１の電気的構成を示すブロック図である。子機用充電台５１は、電力供給回路５２、人体検出センサ５３、ＣＰＵ５４、ＲＯＭ５５、ＲＡＭ５６、無線通信制御部５７とを主に有している。電力供給回路５２、人体検出センサ５３、ＣＰＵ５４、ＲＯＭ５５、ＲＡＭ５６、無線通信制御部５７は、バスライン５９を介して互いに接続されている。
【０１１５】
ＣＰＵ５４は、ＲＯＭ５５やＲＡＭ５６に記憶される固定値やプログラム或いは、無線通信制御部５７を介して送受信される各種信号に従って、バスライン５９により接続された各部を制御するものである。ＲＯＭ５５は、子機用充電台５１で実行される各種の制御プログラムを記憶する書換不能なメモリである。図７のフローチャートに示す人体検出通知処理を実行する各プログラムは、このＲＯＭ５５に格納されている。ＲＡＭ５６は各種のデータを一時的に記憶するための書換可能なメモリである。
【０１１６】
無線通信制御部５７は、無線通信用アンテナ５８を有しており、ＭＦＰ１（親機）との間で無線通信を行い、音声信号や、人体の検出開始および検出終了の通知などの各種データを送受信するものである。
【０１１７】
また、ＣＰＵ５４は、図７のフローチャートに示す人体検出通知処理を実行する。よって、子機用充電台５１（子機台Ａ，子機台Ｂ）は、子機用充電台５１（子機台Ａ，子機台Ｂ）の人体検出センサ５３によって検出される人体の検出状況が変化した場合に、ＭＦＰ１（親機）へ人体の検出開始または人体の検出終了を通知することができる。
【０１１８】
通常、子機３１（子機Ａ，子機Ｂ）は、ユーザによって使用される場合に、子機用充電台５１（子機台Ａ，子機台Ｂ）から取り外されて使用され、使用が終了した場合に子機用充電台５１に戻される。即ち、ユーザによって、第１の実施形態における子機３１（子機Ａ，子機Ｂ）が使用される場合は、子機３１の人体検出センサ３５が人体を監視する場所も移動されることになる。第２の実施形態の通信装置では、人体検出センサ５３を、所定の位置に常設されていることが多い子機用充電台５１（子機台Ａ，子機台Ｂ）に設けているので、人体の監視を極力同じ場所で行うことができる。
【０１１９】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２０】
例えば、上記実施形態のＭＦＰ１（親機）は、人体検出テーブルメモリ１４ａに記憶される各データブロックに基づいて、画像データを生成し、画像データメモリ１３ａに記憶し、その画像データを、送信先ＦＡＸ番号メモリ１４ｃに記憶されるＦＡＸ番号のファクシミリ装置へ送信しているが、画像データをＬＣＤ１６に表示させても良い。その場合、例えば、操作キー１５に画像データ生成ボタンを設け、その画像データ生成ボタンが押下された場合に、人体検出テーブルメモリ１４ａに記憶される各データブロックに基づいて、画像データを生成し、画像データメモリ１３ａに記憶し、その画像データをＬＣＤ１６に表示させる。ユーザは、ＬＣＤ１６に表示される画像を目視することにより、ＭＦＰ１（親機）および子機（子機Ａ，子機Ｂ）による人体の検出状況をまとめて、任意の日時に把握することができる。また、画像データをＬＣＤ１６に表示する代わりに、プリンタ２２により記録用紙に印刷しても良い。
【０１２１】
また、上記実施形態の子機３１（子機Ａ，子機Ｂ）は、人体検出センサ３５により人体の検出が開始された場合、または、人体の検出が終了された場合に、ＭＦＰ１（親機）へ人体の検出開始、または、人体の検出終了を通知している。例えば、子機３１（子機Ａ，子機Ｂ）に、計時回路と記録期間メモリとを設け、ＭＦＰ１（親機）の記録期間メモリ１４ｂに人体を監視する期間が記憶された場合に、子機の記録期間メモリにもその期間を記憶し、人体を監視する期間内である場合に、子機３１（子機Ａ，子機Ｂ）からＭＦＰ１（親機）へ人体の検出開始、または、人体の検出終了を通知するように構成しても良い。
【０１２２】
そうすることで、子機３１（子機Ａ，子機Ｂ）では、人体の検出開始または人体の検出終了をＭＦＰ１（親機）へ通知する回数が減らせるので、子機３１で行われる通知処理も減らせることができ、子機３１が通知処理で消費する電力を抑制することができる。特に、子機３１（子機Ａ，子機Ｂ）が子機用充電台５１から取り外されて使用されている場合に、子機３１の動作時間を延長させることができる。
【０１２３】
また、上記実施形態のＭＦＰ１（親機）は、送信日時メモリ１４ｄに記憶される日時になった場合に、ＭＦＰ１（親機）および子機３１（子機Ａ，子機Ｂ）による人体の監視状況、または、ＭＦＰ１（親機）および子機用充電台５１（子機台Ａ，子機台Ｂ）による人体の監視状況を、グラフなどの画像にまとめ、その画像データを外部装置へ送信しているが、その画像をプリンタ２２により記録用紙に印刷しても良い。
【０１２４】
また、上記実施形態のＭＦＰ１（親機）は、ＭＦＰ１（親機）および子機３１（子機Ａ，子機Ｂ）による人体の監視状況、または、ＭＦＰ１（親機）および子機用充電台５１（子機台Ａ，子機台Ｂ）による人体の監視状況を、グラフなどの画像にまとめ、その画像データを電話回線網１００を介して接続される外部装置へ送信しているが、例えば、ＭＦＰ１（親機）に、ＬＡＮインターフェイスやＵＳＢインターフェイスなどを設け、それぞれのインターフェイスを介して接続可能なパーソナルコンピュータへ、その画像データを送信しても良い。
【０１２５】
また、上記実施形態では、人体検出センサが、ＭＦＰ１および子機３１に設けられているか、もしくは、ＭＦＰ１および子機用充電台５１に設けられているが、ＭＦＰ１、子機３１および子機用充電台５１にそれぞれ設けられていても良い。
【０１２６】
また、上記実施形態では、人体（移動体）を検出する人体検出センサとして、人体などが発する赤外線センサを用いているが、人体（移動体）を検出可能な他のセンサ、例えば、光電センサや、集電センサや、距離測定センサ、振動センサなどの公知のセンサを使用しても良い。
【図面の簡単な説明】
【０１２７】
【図１】本発明の第１の実施形態における通信装置の親機を有したＭＦＰ（親機）と、通信装置の子機との外観構成を示した斜視図である。
【図２】ＭＦＰ（親機）および子機の電気的構成を示すブロック図である。
【図３】人体検出テーブルメモリに記憶される人体検出テーブルの内容の一例を示す概略図である。
【図４】ＭＦＰの監視設定処理を示すフローチャートである。
【図５】ＭＦＰのメイン処理を示すフローチャートである。
【図６】人体検出テーブルメモリに記憶される各データブロックに基づいて生成される画像データの内容の一例を示すイメージ図である
【図７】子機の人体検出通知処理を示すフローチャートである。
【図８】ＭＦＰの応答処理を示すフローチャートである。
【図９】（ａ）は、本発明の第２の実施形態における通信装置の子機用充電台の外観構成を示した斜視図であり、図９（ｂ）は、子機用充電台の電気的構成を示すブロック図である。
【符号の説明】
【０１２８】
１                ＭＦＰ（親機）
１４ａ            人体検出テーブルメモリ（第１記憶手段、第２記憶手段）
１４ｃ            送信先ＦＡＸ番号メモリ（特定情報記憶手段）
１４ｄ            送信日時メモリ（時刻記憶手段）
１４ｅ            センサ名メモリ（センサ名記憶手段）
１６              ＬＣＤ（表示手段）
２０              人体検出センサ（親機検出センサ）
３１              子機（子機本体）
３５、５３        人体検出センサ（子機検出センサ）
４３、５１        子機用充電台（載置台）
Ｓ１１，Ｓ１２    センサ名変更手段
Ｓ２３，Ｓ２５    受信手段
Ｓ２７，Ｓ２９    出力手段
Ｓ２８            集成手段、生成手段
Ｓ３１〜Ｓ３４    送信手段
【図１】
0004715818.tif 000002
【図２】
0004715818.tif 000003
【図３】
0004715818.tif 000004
【図４】
0004715818.tif 000005
【図５】
0004715818.tif 000006
【図６】
0004715818.tif 000007
【図７】
0004715818.tif 000008
【図８】
0004715818.tif 000009
【図９】
0004715818.tif 000010